(57)【要約】【課題】高さ寸法を小さくでき、また操作つまみ及び移動体（摺動体）をスムーズにスライド移動させることができるスライド式電子部品を提供する。【解決手段】ケース９０と、ケース９０にスライド移動自在に収納される摺動体６０と、摺動体６０のスライド移動によって電気的出力を変化する電気的機能部（摺動子８０と摺接パターン２３）と、ケース９０外で摺動体６０に連結されることで摺動体６０と一体にスライド移動する操作つまみ１２０とを具備し、操作つまみ１２０のケース９０に対向する側の面に、スライド移動自在にケース９０を収納する収納部１２５を設ける。【選択図】図１
2009021109.tif 000002
【特許請求の範囲】
【請求項１】
ケースと、ケースにスライド移動自在に収納される移動体と、移動体のスライド移動によって電気的出力を変化する電気的機能部と、前記ケース外で移動体に連結されることで移動体と一体にスライド移動する操作つまみとを具備し、
前記操作つまみのケースに対向する側の面に、スライド移動自在にケースを収納する収納部を設けたことを特徴とするスライド式電子部品。
【請求項２】
前記操作つまみと移動体との連結は、スライド移動方向に平行なケースの左右両側面の外方位置において行われることを特徴とする請求項１に記載のスライド式電子部品。
【請求項３】
前記操作つまみと移動体との連結は、スライド移動方向に平行なケースの左右両側面から移動体の係止片を突出し、この係止片に前記操作つまみに設けた係止部を係止することで行われることを特徴とする請求項２に記載のスライド式電子部品。
【請求項４】
前記操作つまみの収納部内のスライド移動方向に平行な左右両側面に、これらの面に対向するケースの左右両側面に摺接して操作つまみのスライド移動方向への移動をガイドするガイド部を設けたことを特徴とする請求項１又は２又は３に記載のスライド式電子部品。
【発明の詳細な説明】
【技術分野】
【０００１】
本発明は、操作つまみをスライド移動することで電気的出力を変化させる操作つまみ付きのスライド式電子部品に関するものである。
【背景技術】
【０００２】
従来各種電子機器を操作するため、操作つまみ付きのスライド式電子部品が利用されている。操作つまみ付きのスライド式電子部品の中には、ケース内に摺動体をスライド移動自在に収納し、このケースの上面に設けた開口から摺動体と一体のレバーを突出し、このレバーに操作つまみを取り付け、操作つまみを操作することでこれと一体に摺動体をスライド移動させ、摺動体に取り付けた摺動子などによってその電気的出力を変化させる構造のものがある（例えば特許文献１の図１参照）。
【０００３】
しかしながら上記従来の操作つまみ付きのスライド式電子部品においては、以下のような問題点があった。
（１）摺動体を収納したケースの上部に操作つまみを取り付ける構成なので、操作つまみ付きのスライド式電子部品全体の高さ寸法が高くなってしまい、その小型・薄型化が図れない。
【０００４】
（２）操作つまみは摺動体に取り付けられてスライド移動するため、操作つまみに加わる外力（スライド移動方向及びスライド移動方向以外の方向から加わる外力）は全て摺動体に加わり、摺動体のスムーズなスライド移動が阻害されたり、ケース内での摺動体の保持にがたつきが生じたりする等の種々の問題が生じる恐れがある。この問題は、摺動体の大きさに対して操作つまみの大きさが大きくなればなるほど顕著になる傾向にある。
【特許文献１】特開２００３−３１７５７５号公報
【発明の開示】
【発明が解決しようとする課題】
【０００５】
本発明は上述の点に鑑みてなされたものでありその目的は、操作つまみ付きのスライド式電子部品であってもその高さ寸法を小さくでき、また操作つまみ及び移動体（摺動体）をスムーズにスライド移動させることができるスライド式電子部品を提供することにある。
【課題を解決するための手段】
【０００６】
本願請求項１に記載の発明は、ケースと、ケースにスライド移動自在に収納される移動体と、移動体のスライド移動によって電気的出力を変化する電気的機能部と、前記ケース外で移動体に連結されることで移動体と一体にスライド移動する操作つまみとを具備し、前記操作つまみのケースに対向する側の面に、スライド移動自在にケースを収納する収納部を設けたことを特徴とするスライド式電子部品にある。
【０００７】
本願請求項２に記載の発明は、前記操作つまみと移動体との連結は、スライド移動方向に平行なケースの左右両側面の外方位置において行われることを特徴とする請求項１に記載のスライド式電子部品にある。
【０００８】
本願請求項３に記載の発明は、前記操作つまみと移動体との連結は、スライド移動方向に平行なケースの左右両側面から移動体の係止片を突出し、この係止片に前記操作つまみに設けた係止部を係止することで行われることを特徴とする請求項２に記載のスライド式電子部品にある。
【０００９】
本願請求項４に記載の発明は、前記操作つまみの収納部内のスライド移動方向に平行な左右両側面に、これらの面に対向するケースの左右両側面に摺接して操作つまみのスライド移動方向への移動をガイドするガイド部を設けたことを特徴とする請求項１又は２又は３に記載のスライド式電子部品にある。
【発明の効果】
【００１０】
請求項１に記載の発明によれば、操作つまみに設けた収納部に、移動体を収納したケースを収納するので、操作つまみ付きのスライド式電子部品全体の高さ寸法を小さくすることができ、その小型・薄型化が図れる。
【００１１】
請求項２に記載の発明によれば、操作つまみに設けた収納部へのケースの収納が阻害されることなく、操作つまみと移動体との連結を容易且つ確実に行うことができる。
【００１２】
請求項３に記載の発明によれば、操作つまみに設けた収納部へのケースの収納が阻害されることなく、操作つまみと移動体との連結を容易且つ確実に行うことができる。
【００１３】
請求項４に記載の発明によれば、ケースの左右両側面にて操作つまみをスライド移動自在にガイドするので、操作つまみをケースに沿ってスムーズにスライド移動させることができるばかりか、移動体もスムーズにスライド移動させることができる。
【発明を実施するための最良の形態】
【００１４】
以下、本発明の実施形態を図面を参照して詳細に説明する。図１は本発明の１実施形態にかかる操作つまみ付きのスライド式電子部品１の概略断面図、図２は上側から見た分解斜視図、図３は下側から見た分解斜視図（但し補強部材１０と回路基板２０の記載は省略）である。これらの図に示すようにスライド式電子部品１は、補強部材（以下「補強板」という）１０上に、回路基板（以下「フレキシブル回路基板」という）２０を載置し、その上に摺動子８０を取り付けた移動体（以下「摺動体」という）６０を収納したケース９０を取り付け、さらにケース９０の上を覆うように操作つまみ１２０を設置して構成されている。以下各構成部品について説明する。なお以下の説明において、操作つまみ１２０がスライド移動していく方向を「スライド移動方向Ａ」（本実施形態では直線方向である。）とする。また以下の説明において、「上」とはフレキシブル回路基板２０側から見て操作つまみ１２０側を、「下」とは操作つまみ１２０側から見てフレキシブル回路基板２０側を言うものとする。
【００１５】
補強板１０は硬質板（この実施形態では金属板（鉄板）を用いているが、合成樹脂板等、他の各種材質のものを用いても良い）の所定位置（下記するケース９０に設けた取付係止部９９に対向する位置）に複数（４つ）の矩形状の上下に貫通する小孔からなる挿通部１１を設けて構成されている。
【００１６】
図４はフレキシブル回路基板２０の展開斜視図である。同図に示すようにフレキシブル回路基板２０は、可撓性を有する帯状の合成樹脂フイルム（この実施形態ではポリエチレンテレフタレート（ＰＥＴ）フイルムを用いている）２１の所定位置（略中央）に、一対の電気的機能部である摺接パターン２３（この実施形態ではスイッチパターン）を形成し、その周囲を囲む複数箇所（前記補強板１０の４つの挿通部１１に対向する位置）に、挿通部１１と同一形状寸法の上下に貫通する小孔からなる挿通取付部２５を設けて構成されている。またこの帯状の合成樹脂フイルム２１には、その１側辺に一対の連結部２７によって連結される略矩形状の覆い部２９が一体に設けられている。覆い部２９の略中央には略矩形状に貫通する開口からなるパターン露出部３１が設けられ、パターン露出部３１の周囲４ヶ所には矩形状の開口又はパターン露出部３１に接続された溝からなる挿通取付部３３が設けられている。パターン露出部３１と各挿通取付部３３とは、この覆い部２９を合成樹脂フイルム２１の摺接パターン２３を設けた面上に重ね合わせた際に、パターン露出部３１内に摺接パターン２３が露出し、各挿通取付部３３と各挿通取付部２５とが一致するように形成されている。なおこの実施形態では帯状の合成樹脂フイルム２１の部分には摺接パターン２３以外に図示しない各種回路パターンが形成されているが、覆い部２９の部分には回路パターンは形成されていない。なお合成樹脂フイルム２１としてはＰＥＴフイルムに限定されず、他の熱可塑性、熱硬化性、光硬化性の合成樹脂フイルム、例えばポリフェニレンスルフイド（ＰＰＳ）フイルム、ポリイミド（ＰＩ）フィルム、ポリエチレンナフタレート（ＰＥＮ）フイルム、ポリエーテルイミド（ＰＥＩ）フイルム、ポリエーテルエーテルケトン（ＰＥＥＫ）フイルム、ポリエーテルケトン（ＰＥＫ）フイルム、ポリカーボネート（ＰＣ）フイルム、ポリブチレンナフタレート（ＰＢＮ）フイルム、ポリブチレンテレフタレート（ＰＢＴ）フイルム等を用いても良い。
【００１７】
摺動体６０は合成樹脂（例えばＰＯＭ樹脂）を略矩形状に形成して構成されており、その上面にはスライド移動方向Ａに沿うように一対のクリック係合部６１が設けられている。また摺動体６０の下面中央には一対の小突起からなる摺動子取付部６３が突設され、また摺動子取付部６３の両側には一対のスライド移動方向Ａに向かって長尺な棒状の摺接部６５が設けられている。さらに摺動体６０のスライド移動方向Ａに平行な左右両側面からはスライド移動方向Ａに垂直な方向に向かって一対の棒状（平板状）に延びる係止片６７が突出しており、その下面の根元から先端に向かう左右両側には段状となっている係合部６９が設けられている。
【００１８】
摺動子８０は弾性金属板製であり、略矩形状の基部８１の１側辺から２本の摺動冊子８３を突出して設け、これら両摺動冊子８３をその根元部分で基部８１の下面側に折り曲げて構成されている。基部８１には前記摺動体６０に設けた一対の摺動子取付部６３をそれぞれ挿入する小孔からなる取付部８５が設けられている。
【００１９】
ケース９０は金属板（例えば鉄板）を下面が開放された箱形状に形成して構成されており、内部を移動体収納部（以下「摺動体収納部」という）９１としている。ケース９０の上面には、開口９３を設けると共に開口９３内にクリック弾接部９５を設置している。クリック弾接部９５は全体としてコ字状で、その両端が開口９３の内周辺に接続されており、またその中央に下方向に向かって凸となる弾接部９７が設けられている。ケース９０のスライド移動方向Ａと平行な左右両側面の下端辺中央には矩形状に切り欠いてなる係止片挿通部１０１が設けられている。また前記下端辺の係止片挿通部１０１の両側には下方向に向かって突出する舌片状の取付係止部９９が設けられている。
【００２０】
操作つまみ１２０は合成樹脂の成形品であり、略矩形状で厚みのある操作部１２１と、操作部１２１の外周全体から外方向に向かって突出する薄板状のつば部１２３とを有して構成されている。操作つまみ１２０（操作部１２１）の下面側（ケース９０に対向する側）の面には、スライド移動自在にケース９０を収納する略矩形状の収納部１２５が設けられている。収納部１２５の内側面の内、スライド移動方向Ａに平行な左右両内側面には、一対ずつ対向する位置に上下方向に向かって棒状に延びる凸条からなるガイド部１２７が設けられている（なお図３では一方の面側の一対のガイド部１２７のみ示している）。左右両内側面間で対向する一対ずつのガイド部１２７間の幅寸法は、図１に示すように、ケース９０の左右両外側面間の幅寸法と略同一となっている。
【００２１】
操作つまみ１２０（つば部１２３）のスライド移動方向Ａに向かって左右両側の中央位置には一対の係止部１２９が設けられている。係止部１２９はそれぞれ一対の下方向に向かって平行に突出する棒状のアーム部１２９ａと、アーム部１２９ａの先端に内向きに設けられる爪１２９ｂとを具備して構成されている。また操作つまみ１２０（つば部１２３）の下面の係止部１２９の両側（スライド移動方向Ａ方向に向かって並ぶ位置）には、下方向に突出する凸条からなる摺接部１３１が設けられている。摺接部１３１は全部で４つある。各摺接部１３１はスライド移動方向Ａに向かって棒状に延びている。
【００２２】
次にこの操作つまみ付きのスライド式電子部品１の組立方法を説明する。まず予め、摺動体６０の下面に摺動子８０の基部８１を載置し、その際基部８１に設けた取付部８５に挿入した摺動子取付部６３の先端を熱かしめによって潰すことで摺動子８０を摺動体６０に取り付けておく。次に図４に示すフレキシブル回路基板２０の覆い部２９の部分を、連結部２７の部分を折り曲げることで、図２に示すようにフレキシブル回路基板２０の摺接パターン２３を設けた面上に重ね合わ、この状態のフレキシブル回路基板２０を補強板１０上に載置する。このときフレキシブル回路基板２０の各挿通取付部２５及び挿通取付部３３と、補強板１０の各挿通部１１の位置が一致する。またこのときフレキシブル回路基板２０のパターン露出部３１に摺接パターン２３が露出する。
【００２３】
次にケース９０の下面側からその摺動体収納部９１内に、前記摺動子８０を取り付けた摺動体６０を挿入した上で、このケース９０を前記フレキシブル回路基板２０の重ね合わせた覆い部２９上に載置し、その際ケース９０の各取付係止部９９をフレキシブル回路基板２０の各挿通取付部２５及び挿通取付部３３及び補強板１０の各挿通部１１に挿入し、その先端を補強板１０の下面に折り曲げ、これによって摺動体６０を収納したケース９０とフレキシブル回路基板２０と補強板１０とを一体化する。このときケース９０内に収納された摺動体６０は、ケース９０内をスライド移動方向Ａに向けてスライド移動自在となっている。また摺動体６０の両係止片６７は、ケース９０の左右両側面に設けた係止片挿通部１０１内を通過してその外部に突出している。
【００２４】
そして前記ケース９０の上にケース９０（摺動体６０）を覆うように操作つまみ１２０を設置し、その際ケース９０の上部を操作つまみ１２０の収納部１２５内に挿入し、操作つまみ１２０の両係止部１２９をケース９０から突出する摺動体６０の両係止片６７にそれぞれスナップイン係合によって係合し、操作つまみ１２０と摺動体６０とを一体化する。つまり操作つまみ１２０と摺動体６０との連結は、ケース９０の左右両側面の外方位置において行われる。このスナップイン係合は、係止部１２９を構成する一対の爪１２９ｂが押し広げられて、係止片６７の係合部６９に係合することによって行われる。これによって操作つまみ付きのスライド式電子部品１が完成する。
【００２５】
そして完成した操作つまみ付きのスライド式電子部品１において、操作つまみ１２０の操作部１２１を操作してこれをスライド移動方向Ａに向けてスライド移動すれば、これと一体に摺動体６０がスライド移動し、摺動子８０の摺動冊子８３が摺接パターン２３上を摺動してその電気的出力が変化する。この実施形態において摺接パターン２３はスイッチパターンなので、両摺接パターン２３間のオンオフ状態が切り換わる。操作つまみ１２０をスライド移動方向Ａの両端にスライド移動した際、ケース９０の弾接部９７は摺動体６０の何れか一方のクリック係合部６１に係合するので、操作つまみ１２０はこの両端に移動した際にクリック感覚が生じ、且つこれらの位置で確実に停止状態が保持される。
【００２６】
そして前述のように操作つまみ１２０に設けた収納部１２５に摺動体６０を収納したケース９０が収納されているので、ケース９０を操作つまみ１２０の高さ方向の厚みの中に埋め込むことができ、操作つまみ付きのスライド式電子部品１全体の高さ方向の厚み寸法を小さくすることができる。また前述のように操作つまみ１２０をスライド移動する際、操作つまみ１２０はそのガイド部１２７がケース９０の左右両外側面に摺接することでガイドされ支持される。従ってこの操作つまみ１２０に加わる外力の多くがこの操作つまみ１２０に連結されている摺動体６０に直接加わることはない（一部の外力、主としてスライド移動方向Ａのみの力が加わる）。
【００２７】
また操作つまみ１２０はその左右両側下面から突出する摺接部１３１がフレキシブル回路基板１２０の覆い部２９上に当接しているので、この当接によっても操作つまみ１２０が支持され、従ってこの点からも操作つまみ１２０に加わる外力の多くが摺動体６０に直接加わることはない。なお摺接部１３１は回路パターンのない覆い部２９に当接（摺接）するので、下側のフレキシブル回路基板２０上の各種回路パターンが損傷することはない。
【００２８】
以上説明したように、この実施形態にかかる操作つまみ付きのスライド式電子部品１は、ケース９０と、ケース９０にスライド移動自在に収納される摺動体６０と、摺動体６０のスライド移動によって電気的出力を変化する電気的機能部（摺動子８０及び摺接パターン２３からなる）と、ケース９０外で摺動体６０を覆った状態で摺動体６０に連結されることで摺動体６０と一体にスライド移動する操作つまみ１２０とを具備し、操作つまみ１２０のケース９０に対向する側の面に、スライド移動自在にケース９０を収納する収納部１２５を設けて構成されている。このように構成することで、操作つまみ付きのスライド式電子部品１全体の高さ寸法を小さくすることができ、その小型・薄型化が図れる。
【００２９】
また上記実施形態では、操作つまみ１２０と摺動体６０との連結を、スライド移動方向Ａに平行なケース９０の左右両側面の外方位置において行うこととした。これによって操作つまみ１２０に設けた収納部１２５へのケース９０の収納が阻害されることなく、操作つまみ１２０と摺動体６０との連結を容易且つ確実に行うことができるようになった。
【００３０】
また上記実施形態では、操作つまみ１２０と摺動体６０との連結を、スライド移動方向Ａに平行なケース９０の左右両側面から摺動体６０の係止片６７を突出し、この係止片６７に操作つまみ１２０に設けた係止部１２９を係止することで行うこととした。これによって操作つまみ１２０に設けた収納部１２５へのケース９０の収納が阻害されることなく、操作つまみ１２０と摺動体６０との連結を容易且つ確実に行うことができる。
【００３１】
また上記実施形態では、操作つまみ１２０の収納部１２５内のスライド移動方向Ａに平行な左右両側面に、これらの面に対向するケース９０の左右両側面に摺接して操作つまみ１２０のスライド移動方向Ａへの移動をガイドするガイド部１２７を設けた。これによって、ケース９０の左右両側面にて操作つまみ１２０をスライド移動自在にガイドするので、操作つまみ１２０をケース９０に沿ってスムーズにスライド移動させることができるばかりか、この操作つまみ１２０に加わる多くの外力が摺動体６０に直接加わらず（一部の外力、主としてスライド移動方向Ａのみの力が加わり）、ケース９０内での摺動体６０の保持にがたつきが生じる等の問題もなく、摺動体６０をスムーズにスライド移動させることができる。
【００３２】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば補強板１０は必ずしも板状でなくても良い。またフレキシブル回路基板２０は硬質の回路基板で構成しても良い。その場合、補強板１０は省略しても良い。また上記実施形態では摺動子８０と摺接パターン２３とによって電気的機能部を構成したが、電気的機能部はこの構成に限定されるものではなく、要は摺動体（移動体）６０のスライド移動によってその電気的出力を変化する構造であればどのような構造であっても良い。またケース９０や操作つまみ１２０の形状・構造に種々の変形が可能であることはいうまでもない。またクリック機構は必ずしも必要ない。また上記実施形態ではスライド移動方向Ａを直線移動方向としたが、スライド移動方向とは直線方向以外の曲線方向も含む概念である。
【００３３】
また上記実施形態では操作つまみ１２０と摺動体６０間の連結を摺動体６０の左右両側部（ケース９０の左右両外側）で行ったが、何れか一方の側部において行っても良い。要は摺動体６０に連結されることで摺動体６０と一体にスライド移動するように操作つまみ１２０を連結すればよい。
【図面の簡単な説明】
【００３４】
【図１】スライド式電子部品１の概略断面図である。
【図２】スライド式電子部品１を上側から見た分解斜視図である。
【図３】スライド式電子部品１を下側から見た分解斜視図（但し補強板１０とフレキシブル回路基板２０の記載は省略）である。
【図４】フレキシブル回路基板２０の展開斜視図である。
【符号の説明】
【００３５】
１  スライド式電子部品
１０  補強板（補強部材）
２０  フレキシブル回路基板（回路基板）
２３  摺接パターン（電気的機能部）
６０  摺動体（移動体）
６７  係止片
８０  摺動子（電気的機能部）
９０  ケース
１２０  操作つまみ
１２５  収納部
１２７  ガイド部
１２９  係止部
Ａ  スライド移動方向
【図１】
2009021109.tif 000003
【図２】
2009021109.tif 000004
【図３】
2009021109.tif 000005
【図４】
2009021109.tif 000006